(57)【特許請求の範囲】
【請求項１】
枚葉紙パイルから枚葉紙処理機械へずれ重なり状態の枚葉紙流を搬送するための装置であって、
フィーダボード（１０；３２）が設けられていて、該フィーダボードが、上側の走行薄板と、該走行薄板（１１）からスペーサウェブ（１２）により間隔を置いて配置された、一貫して延びる下側の中間壁（１３）とを有しており、前記スペーサウェブ（１２）が、該中間壁（１３）と前記走行薄板（１１）との間に配置されており、
フィーダボード（１０；３２）が、循環するように駆動可能な空気透過性の少なくとも１つの搬送テープ（１４）を有しており、該搬送テープ（１４）が、フィーダボード（１０）に沿って滑動する下側を備えた上側テープ区分を有していて、前記上側の走行薄板（１１）によって案内されており、
相前後して配置された、互いに異なる長さの３つの吸込み室（４７，４８，４９）が設けられており、該吸込み室が、枚葉紙パイル（３４）に隣接した第１の吸込み室（４７）と、枚葉紙処理機械に隣接した第３の吸込み室（４９）とを有しており、第１の吸込み室（４７）および第３の吸込み室（４９）が、それぞれ所定の長さと、相応する室容積とを有しており、第１の吸込み室（４７）と第３の吸込み室（４９）との間に第２の吸込み室（４８）が設けられており、該第２の吸込み室（４８）が、第１の吸込み室（４７）および第３の吸込み室（４９）の各長さよりも大きな長さにわたって延びていて、相応して、第１の吸込み室（４７）および第３の吸込み室（４９）の室容積よりも大きな室容積を有しており、該第２の吸込み室（４８）が、相前後して配置された多数の吸込み室範囲（１９，２０，２１，２２，２３）を有しており、該吸込み室範囲（１９，２０，２１，２２，２３）および前記吸込み室（４７，４８，４９）が、前記フィーダボート（１０；３２）内で前記走行薄板（１１）と前記下側の中間壁（１３）との間に前記スペーサウェブ（１２）により形成されており、
全ての前記吸込み室範囲の負圧制御のために１つの共通の負圧形成器が設けられており、
前記下側の中間壁（１３）に多数の絞りが形成されており、前記吸込み室範囲と前記共通の負圧形成器（２６）との間にそれぞれ絞りを介してニューマチック接続、つまり両部分の間で空気圧の受け渡しを行う接続が形成されている
ことを特徴とする、枚葉紙パイルから枚葉紙処理機械へずれ重なり状態の枚葉紙流を搬送するための装置。
【請求項２】
前記共通の負圧形成器（２６）と前記個々の吸込み室範囲（１９，２０，２１，２２，２３）との間に１つの共通の負圧形成室（２５）が配置されており、前記絞りにより、個々の吸込み室範囲（１９，２０，２１，２２，２３）に対する前記共通の負圧形成室（２５）のニューマチック接続が形成されている、請求項１記載の装置。
【請求項３】
前記共通の負圧形成室（２５）が、前記個々の吸込み室範囲（１９，２０，２１，２２，２３）よりも大きな容積を有している、請求項２記載の装置。
【請求項４】
前記共通の負圧形成室（２５）が、フィーダボード（１０；３２）の下方で、前記個々の吸込み室範囲（１９，２０，２１，２２，２３）に直接隣接して配置されていて、前記吸込み室範囲（１９，２０，２１，２２，２３）を形成する、一貫して延びる下側の中間壁（１３）が、隣接した前記共通の負圧形成室（２５）に対する隔壁をも成しており、前記絞り孔（２８）により、前記個々の吸込み室範囲（１９，２０，２１，２２，２３）と前記共通の負圧形成室（２５）との間のニューマチック接続が形成されている、請求項１記載の装置。
【請求項５】
少なくとも１つの弁制御された負圧管路が設けられており、該負圧管路を介して、前記共通の負圧形成器と前記吸込み室（４７，４８，４９）との間にそれぞれニューマチック接続が形成されている、請求項１記載の装置。
【請求項６】
前記３つの吸込み室で必要となる所要の負圧が、これらの吸込み室の、枚葉紙の保持に関して３つの範囲で有効となる有効面積の割合と同じ相互割合を占めるように多数の前記負圧管路が制御可能である、請求項５記載の装置。
【請求項７】
前記負圧管路（５３，５４，５７，５８）に、前記吸込み室（４７，４８，４９）の負圧同士の所要の相互割合もしくは所望の相互割合を調節するためのバイパス弁（５５，５６，６１，６２）が配置されている、請求項６記載の装置。
【請求項８】
枚葉紙処理機械に隣接した第３の吸込み室（４９）のために、互いに平行な２つの負圧管路（５７，５８）が設けられており、該負圧管路が、前記共通の負圧形成器（５２）に対してニューマチック接続を有する前記共通の負圧形成室（５０）を起点として延びており、前記２つの負圧管路が、それぞれ１つのバイパス弁（６１；６２）を有していて、該負圧管路（５７，５８）の間で枚葉紙搬送タイミングに合わせて往復切換を行う別の弁（５９）に開口しており、該弁（５９）の出口（６０）と、前記第３の吸込み室（４９）との間にニューマチック接続が形成されている、請求項６記載の装置。
【請求項９】
前記共通の負圧形成器が、前記吸込み室の負圧制御のために設けられた複数の負圧形成器のうちの１つであり、前記複数の負圧形成器と各吸込み室（４７，４８，４９）との間にそれぞれ１つの負圧管路を介してニューマチック接続が形成されている、請求項１記載の装置。
【請求項１０】
１つの負圧形成器（６６）と、前記吸込み室のうちの１つとの間に回転弁（６７）が接続されている、請求項９記載の装置。
【請求項１１】
前記回転弁（６７）が、枚葉紙処理機械のタイミングで駆動可能である、請求項１０記載の装置。
【請求項１２】
前記回転弁（６７）が、３種の異なる圧力レベル（−Δｐ５，−Δｐ６，−Δｐ７）を提供するようになっている、請求項１０記載の装置。
【請求項１３】
前記回転弁（６７）が、１回の機械サイクルの間、３種の異なる圧力レベル（−Δｐ５，−Δｐ６，−Δｐ７）を有する４つのフェーズを実施するようになっている、請求項１２記載の装置。
【発明の詳細な説明】
【０００１】
【発明の属する技術分野】
本発明は、枚葉紙パイルから枚葉紙処理機械へずれ重なり状態の枚葉紙流を搬送するための装置であって、フィーダボードが設けられていて、該フィーダボードが、循環するように駆動可能な空気透過性の少なくとも１つの搬送テープを備えており、該搬送テープの、フィーダボードに沿って滑動する上側テープ区分の下側が、相前後して配置された多数の吸込み室により負圧で負荷されていて、搬送される枚葉紙（シート）が、枚葉紙処理機械へ引き渡されるまで搬送テープ上に保持されるようになっている形式のものに関する。
【０００２】
さらに本発明は、枚葉紙パイルから枚葉紙処理機械へ枚葉紙流を搬送する、特に所定のタイミングで搬送するための装置であって、フィーダボードが設けられていて、該フィーダボードが、循環するように駆動可能な空気透過性の少なくとも１つの搬送テープを備えており、該搬送テープの、フィーダボードに沿って滑動する上側テープ区分の下側が、相前後して配置された多数の吸込み室により負圧で負荷されていて、搬送される枚葉紙が、枚葉紙処理機械へ引き渡されるまで搬送テープ上に保持されるようになっている形式のものに関する。
【０００３】
【従来の技術】
シートもしくは枚葉紙をフィーダボードに沿って、負圧で負荷された搬送テープによって搬送することは、３つのフェーズに分割され得る：
１．（枚葉紙パイルでの）枚葉紙個別化の後に、枚葉紙が、所定のタイミングで作動する送り出しローラ（Ｔａｋｔｒｏｌｌｅ）によって引き取られる（送り出しローラを閉じる）。引き続き、送り出しローラが開かれると、枚葉紙はようやくその一部が搬送テープ上に位置するようになるが、しかしこの搬送テープによって既に、付与された負圧により保持されなければならない。
【０００４】
２．引き続き枚葉紙当付け範囲へ向かって搬送が行われると、枚葉紙は、ずれ重なり長さに基づいて、著しく大きな面積に沿って保持され得る。
【０００５】
３．枚葉紙処理機に設けられた前当てへ到着する直前に、枚葉紙は搬送テープによって減速されなければならない。このとき、枚葉紙到着後に、当て付けられた枚葉紙が、搬送テープで作用する負圧によって圧潰されてはならないが、しかし事情によっては、跳ね返りを阻止するために枚葉紙がなお軽度に前当てへ向かって推進されることが望ましい。
【０００６】
フェーズ１およびフェーズ２の過程でも、枚葉紙には加速力を伝達することができなければならない。
【０００７】
冒頭で述べた形式の装置は、ドイツ連邦共和国特許第４４４２６２９号明細書に基づき公知である。この公知の装置は搬送テープを備えたフィーダボードを有しており、この搬送テープは相前後して配置された３つの吸込み室を介して負圧で負荷される。これら３つの吸込み室には、２つの別個のブロワにより負圧が形成される。第１の（上側の）吸込み室は、枚葉紙個別化装置からシートもしくは枚葉紙を引き取り、第２の（中間の）吸込み室はフィーダボードに沿った枚葉紙搬送を可能にし、そして第３の（下側の）吸込み室は、枚葉紙を当付け状態で安定化させるものである。２つの別個の負圧形成器（ブロワ）は、比較的高い手間を意味する。また、公知の装置では「シートスローダウン（Ｂｏｇｅｎｖｅｒｌａｎｇｓａｍｕｎｇ）」が設定されていない場合にしか申し分のない機能が保証され得ないことも不都合である。公知の装置においてシートスローダウンが使用されると、シートもしくは枚葉紙が滑りずれを起こすことなく枚葉紙到着の直前で枚葉紙を減速させることが不可能となるか、または枚葉紙が前当てへの到着後に前当てに過度に強く押圧されて圧潰されてしまう（搬送テープの端範囲における負圧レベルに応じて、もしくは搬送テープの位置に応じて）。
【０００８】
さらに、公知の装置では、フィーダボードに沿った搬送が長尺の吸込み室により引き受けられるので、フィーダボードが完全に覆われていない場合には、枚葉紙を保持するために十分な負圧が形成され得なくなるという危険も生じる。このような不都合は、とりわけ枚葉紙搬送の最初の１枚目の枚葉紙と最後の枚葉紙とにおいて生じる。なぜならば、この場合には負圧が十分に形成されないので、１枚目の枚葉紙と最後の枚葉紙を確実に保持できなくなるからである。
【０００９】
ドイツ連邦共和国特許出願公開第１９７２８０５６号明細書に基づき公知である、冒頭で述べた形式の別の装置では、相前後して配置された多数の吸込み室を有するサクションテープフィーダボードが設けられている。これらの吸込み室は互いに別個に独立して制御可能である。これによって、たしかにサクションテープ（搬送テープ）のそれぞれの個所における状況に合わせて負圧を調整することができるが、しかし多数の吸込み室を互いに別個に制御することは、製造および操作ならびに機械の制御の点で高い手間やコストがかかることを意味する。
【００１０】
この公知の装置においても、高い手間がかかるにもかかわらず、シートスローダウンの使用時に枚葉紙を到着直前に減速させることが不可能となるか、または枚葉紙が到着後に前当てに過度に強く押圧されて圧潰されてしまう（搬送テープの端範囲における負圧レベルに応じて、もしくは搬送テープの位置に応じて）ことを阻止することは不可能となる。
【００１１】
【発明が解決しようとする課題】
本発明の課題は、吸込み室での負圧形成のためにこれまでかけられていた高い手間を回避して、それぞれ個々の吸込み室に負圧を最適に形成するために適した手段を提供することである。
【００１２】
【課題を解決するための手段】
この課題を解決するために本発明の第１の構成（請求項１）では、枚葉紙パイルから枚葉紙処理機械へずれ重なり状態の枚葉紙流を搬送するための装置であって、フィーダボードが設けられていて、該フィーダボードが、循環するように駆動可能な空気透過性の少なくとも１つの搬送テープを備えており、該搬送テープの、フィーダボードに沿って滑動する上側テープ区分の下側が、相前後して配置された多数の吸込み室により負圧で負荷されていて、搬送される枚葉紙が、枚葉紙処理機械へ引き渡されるまで搬送テープ上に保持されるようになっている形式のものにおいて、全ての吸込み室の負圧制御のために１つの共通の負圧形成器が設けられており、該共通の負圧形成器にそれぞれ少なくとも１つの絞りを介して前記吸込み室がニューマチック的に接続されているようにした。
【００１３】
上記課題を解決するために本発明の第２の構成（請求項６）では、枚葉紙パイルから枚葉紙処理機械へ枚葉紙流を搬送する、特に所定のタイミングで搬送するための装置であって、フィーダボードが設けられていて、該フィーダボードが、循環するように駆動可能な空気透過性の少なくとも１つの搬送テープを備えており、該搬送テープの、フィーダボードに沿って滑動する上側テープ区分の下側が、相前後して配置された多数の吸込み室により負圧で負荷されていて、搬送される枚葉紙が、枚葉紙処理機械へ引き渡されるまで搬送テープ上に保持されるようになっている形式のものにおいて、全ての吸込み室の負圧制御のために、１つの共通の負圧形成器が設けられており、該負圧形成器が、それぞれ少なくとも１つの弁制御された負圧管路を介して前記吸込み室にニューマチック的に作用接続されているようにした。
【００１４】
さらに上記課題を解決するために本発明の第３の構成（請求項１０）では、枚葉紙パイルから枚葉紙処理機械へ枚葉紙流を搬送する、特に所定のタイミングで搬送するための装置であって、フィーダボードが設けられていて、該フィーダボードが、循環するように駆動可能な空気透過性の少なくとも１つの搬送テープを備えており、該搬送テープの、フィーダボードに沿って滑動する上側テープ区分の下側が、相前後して配置された多数の吸込み室により負圧で負荷されていて、搬送される枚葉紙が、枚葉紙処理機械へ引き渡されるまで搬送テープ上に保持されるようになっている形式のものにおいて、全ての吸込み室の負圧制御のために、それぞれ１つの負圧形成器が設けられており、該負圧形成器が、それぞれ１つの負圧管路を介して吸込み室にニューマチック的に作用接続されているようにした。
【００１５】
【発明の効果】
本発明の第１の構成（請求項１）は、枚葉紙搬送が、相前後して配置された多数の吸込み室範囲を備えた吸込み室により引き受けられるようなフィーダボードのために特に適している。これらの吸込み室範囲全てには、１つの共通の負圧形成室により負圧を形成することができる。この負圧形成室には、上で述べた負圧不足が生じることなく所望の圧力が形成される。この場合に、本発明による絞りが特に重要となる。これらの絞りを介して、個々の吸込み室は共通の負圧形成器に接続されている。これらの絞りにより、フィーダボードが部分的にしか覆われていない場合でも、既に覆われた吸込み室範囲において所要の負圧形成が行われることが可能となる。なぜならば、絞り作用に基づき、開いた吸込み室範囲には極めて僅かな誤入空気しか発生しないので、負圧形成器内の負圧が極めて僅かにしか低下しないからである。これにより、全ての吸込み室範囲のために唯一つの負圧形成器しか使用しないことが可能となる。
【００１６】
本発明の第２の構成（請求項６）では、結果的に同様の有利な効果が得られる。この場合、絞りの代わりに、弁制御される負圧管路が設けられており、これらの負圧管路を通じて共通の負圧形成器が個々の吸込み室に接続されている。そして、これらの負圧管路を介して、種々の吸込み室内に種々のレベルの負圧を調節することができる。
【００１７】
これにより、相前後して配置された複数の、たとえば３つの吸込み室を介して枚葉紙搬送を実施することができる。この場合、これらの吸込み室は、第１に枚葉紙が常に確実に保持されるように、第２に枚葉紙が必要以上に高い負圧で負荷されないように配置されていて、正確に負圧が形成される。
【００１８】
最下位の（最後の）吸込み室がタイミング制御されると有利である。これにより、枚葉紙は確実に減速されて当て付けられ得るようになり、それにもかかわらず枚葉紙は圧潰されなくなる。
【００１９】
請求項１に記載の本発明の第１の構成の有利な改良形は請求項２〜請求項５に記載されている。請求項６に記載の本発明の第２の構成の有利な改良形は請求項７〜請求項９に記載されている。請求項１０に記載の本発明の第３の構成の有利な改良形は請求項１１〜請求項１４に記載されている。
【００２０】
【発明の実施の形態】
以下に、本発明の実施の形態を図面につき詳しく説明する。
【００２１】
図１には符号１０で、シートもしくは枚葉紙を処理するための枚葉紙処理機械、たとえば印刷機に用いられる給紙機のフィーダボード（一部しか図示しない）全体が示されている。このフィーダボード１０は主として、（上側の）走行薄板１１と、この走行薄板１１から垂直方向の複数の中間ウェブ１２により間隔を置いて配置された（下側の）一貫して延びる中間壁１３とから成っている。フィーダボード１０の走行薄板１１上では、搬送したいシートもしくは枚葉紙１５，１６のためのエンドレスに循環する、通常「サクションテープ」と呼ばれている搬送テープ１４（部分的にしか図示しない）が滑動する。この搬送テープ１４は、均一な間隔を置いて相前後して配置された多数の吸込み孔１７を有している。搬送テープ１４の走行方向、ひいては枚葉紙１５，１６の搬送方向は、矢印１８により示されている。
【００２２】
既に述べた中間ウェブ１２により、走行薄板１１と中間壁１３との間の空間は、多数の個々の「吸込み室範囲」に分割される。図１には、これらの吸込み室範囲のうちの５つが見えており、それぞれ符号１９，２０，２１，２２，２３で示されている。これらの吸込み室範囲１９〜２３は上方に向かって開いて、つまり搬送テープ１４の方向へ開いて形成されている。比較的大面積の開口がそれぞれ符号２４で示されている。
【００２３】
フィーダボード１０の下側には、個々の吸込み室範囲１９〜２３の容積に比べて比較的大容積の負圧形成室２５が直接に続いている。この負圧形成室２５は適当な負圧形成器２６（たとえばブロワ）に接続されている。負圧形成室２５の寸法は、一方では閉鎖壁２７により、他方では吸込み室範囲１９〜２３の、既に述べた下側の（共通の）中間壁１３により、それぞれ決定されている。負圧形成器２６と同様に全ての吸込み室範囲１９〜２３にとって共通の負圧形成室２５と、個々の吸込み室範囲１９〜２３とのニューマチック的な接続は、それぞれ１つの絞り孔２８により行われる。したがって、個々の吸込み室範囲１９〜２３には、負圧形成室２５内と同じ負圧（図１に「−Δｐ」で示す）が生ぜしめられる。ただしこの場合、吸込み室範囲が、搬送したい枚葉紙により覆われていることが前提条件となる。図１に示した実施例では、吸込み室範囲２１，２２，２３だけが枚葉紙１５，１６により完全に覆われており、吸込み室範囲１９，２０は完全に覆われていない。したがって、吸込み室範囲２１，２２，２３にのみ、枚葉紙搬送のために必要となる負圧が形成される。
【００２４】
さらに図１から判るように、このような枚葉紙搬送形式は「ずれ重なり式の枚葉紙搬送（ストリームフィード）」である。すなわち、搬送テープ１４による搬送時に、枚葉紙が部分的に重なり合っている。図１には、互いに重なり合った２つの枚葉紙１５，１６のずれ重なり長さがｌｓｃｈで表されている。それゆえに、個々の吸込み室範囲１９，２０，２１，２２，２３は、搬送される各枚葉紙が後続の枚葉紙によって下から把持されていない範囲でのみ当該枚葉紙の一部に対して吸引作用を発揮し、ひいては付着力を発揮することができる。このことから、この場合、第１の枚葉紙１５のためには、吸込み室範囲２１，２２の有効長さとして寸法ｌＷが生ぜしめられる。
【００２５】
すなわち、個々の吸込み室範囲１９，２０，２１，２２，２３のうちの１つが１つの枚葉紙もしくは互いに重なり合った２つの枚葉紙により覆われるやいなや、当該吸込み室範囲では負圧の形成が開始する。この場合に重要となるのは、誤入空気（Ｆｅｈｌｌｕｆｔ）を減少させるために絞りの流過横断面が小さく形成されていることである。しかし、絞り孔２８の流過横断面が小さいため、負圧を十分に迅速に形成し得るようにするためには、個々の吸込み室範囲１９，２０，２１，２２，２３の容積も比較的小さく形成されていることが望ましい。
【００２６】
この観点で見た場合、既に説明したように吸込み室範囲１９，２０，２１，２２，２３と負圧形成室２５とが空間的に接近していること（図１）も極めて有利に作用する。
【００２７】
いわゆる「シートスローダウン」が使用される場合（特に図２参照）には、枚葉紙搬送中に枚葉紙の周期的な減速・増速が行われる。中間ウェブ１２によりマーキングされた、吸込み室を仕切る境界部は、フィーダボード１０が部分的に枚葉紙で覆われていない状態でも所要の負圧が比較的小さくて済むように加速経過に調和されている。すなわち、吸込み室境界部（１２）の位置は、枚葉紙搬送時の全加速過程もしくは全減速過程の間、吸込み室範囲１９，２０，２１，２２，２３のそれぞれ最適な有効長さが与えられるように設定されている。このことが最大加速値および最大減速値においても、両極端値の間の加速値および減速値においても云えることは、図２から明らかとなる。この場合、鋸刃状の曲線２９は第１の枚葉紙のためのそれぞれ有効となる室長さの経過を示している。それぞれ１つの室が完全に覆われる毎に、その長さ（ａ；ｂ）が有効室長さとして加えられる。波状の曲線３０は、枚葉紙搬送路に沿って搬送される各枚葉紙（たとえば図１の枚葉紙１５，１６）が受ける加速もしくは減速を表している。破線で描かれた別の曲線３１は、各（絶対）加速値対それぞれ有効となる吸込み室範囲長さの比を表している。
【００２８】
この場合に特別な点は、曲線３１の最大値ができるだけ小さいままとなるように吸込み室範囲境界部（中間ウェブ１２）が設定されていることにある。なぜならば、そうすれば、必要となる負圧が最小限で済むからである。さらに、図２の線図から明らかであるように、加速曲線３０の最小値の範囲（ここでは曲線最大値の範囲におけるよりも加速値および減速値が小さい）では、比較的小さな有効吸込み室範囲長さ（ａ）で十分となることである。さらに、設定された有効吸込み室範囲長さ（ａ；ｂ）では、枚葉紙により覆われた後に各吸込み室範囲に負圧を形成するために必要とされる時間も考慮されている。
【００２９】
図３に示した実施例では、符号３２によりフィーダボード全体が示されている。このフィーダボード３２の表面に沿って、枚葉紙パイル３４から取り出された、処理されるべき枚葉紙３５のためのエンドレスに循環する搬送テープ１４が案内されている。フィーダボード３２の両端部では、搬送テープ１４が変向ローラ３６，３７によって変向されるか、もしくは駆動され、そしてテンションローラ３８，３９によってテンションを付与される。搬送テープ１４の走行方向は矢印４０で示されている。したがって、枚葉紙３５は矢印方向１８でフィーダボード３２の表面に沿って搬送され、その後に枚葉紙３５は、引き続き枚葉紙を処理する機械（図示しない）、たとえば印刷機に設けられた前当て４２に当接する。フィーダボード３２はこの場合、枚葉紙パイル３４を起点として、上方から下方へ向かって傾けられて配置されている。枚葉紙搬送は所定のタイミングで行われる。この目的のためには、変向ローラ３６の上方に所定のタイミングで作動する送り出しローラ（くわえコロ）４３が配置されている。
【００３０】
搬送テープ１４は多数の吸込み孔を有しているが、これらの吸込み孔は図３には図示されていない。フィーダボード３２の下側には、フィーダボード３２の全長にわたって延びるように吸込みボックス４４が配置されている。この吸込みボックス４４は中間壁４５，４６によって３つの吸込み室４７，４８，４９に分割されている。
【００３１】
これらの吸込み室４７，４８，４９には、互いに異なる負圧−Δｐ１，−Δｐ２，−Δｐ３，−Δｐ４を形成することができる。これらの負圧は、搬送テープ１４に設けられた多数の吸込み孔を介して作用し、この場合、これらの負圧は、搬送テープ１４によりフィーダボード３２に沿って搬送される枚葉紙に対して相応して種々異なる保持力を加える。これらの負圧を発生させるためには、負圧形成室５０が設けられている。この負圧形成室５０は負圧管路５１を介して適当な負圧形成器５２、たとえばブロワに、ニューマチック的に接続されている。負圧形成室５０には、単一の負圧−Δｐが形成される。負圧形成室５０は第１の負圧管路５３により第１の吸込み室４７に、第２の負圧管路５４により第２の吸込み室４８に、それぞれニューマチック的に接続されている。両負圧管路５３，５４には、それぞれ１つのバイパス弁５５；５６が配置されている。第３の吸込み室４９は、切換弁５９を介して１つの（共通の）第３の負圧管路６０に通じた２つの平行な負圧管路５７，５８によって、負圧形成室５０に接続されている。２つの平行な負圧管路５７，５８には、それぞれ１つのバイパス弁６１；６２が配置されている。たとえば回転弁であってよい切換弁５９は、枚葉紙の搬送タイミングに合わせて、２つの平行な負圧管路５７，５８もしくは２つのバイパス弁６１，６２の間で交互に切換を行う。
【００３２】
図３に示した実施例のさらに別の特別な点は、第２の吸込み室４８が第１の吸込み室４７と第３の吸込み室４９とに比べて著しく大きな延在長さを有していて、ひいてはかなり大容積に形成されていることや、３つの吸込み室４７，４８，４９で必要となる所要の負圧が、これらの吸込み室４７，４８，４９の、枚葉紙の保持に関して３つの範囲で有効となる有効面積の割合と同じ相互割合を占めるように負圧管路５３，５４，５７，６０がバイパス弁５５，５６，６１により制御されていることにある。
【００３３】
タイミング制御される送り出しローラ４３のすぐ背後に配置された第１の吸込み室４７の長さはこの場合、送り出しローラ４３の開放時にこの第１の吸込み室４７がちょうど、送り出しローラ４３から解放されたばかりの枚葉紙（たとえば３５）によって完全に覆われるように形成されている。
【００３４】
第１の吸込み室４７には、負圧（−Δｐ１）が形成される。この負圧（−Δｐ１）はフィーダボード３２もしくは搬送テープ１４のこの第１の区分に枚葉紙を確実に保持するために必要となる。枚葉紙をフィーダボード３２に沿って搬送するためには、主として、続いて設けられた第２の吸込み室４８が働く。この第２の吸込み室４８は、たとえば図１に図示したように形成されていてよい。ずれ重なり式の運転時では、枚葉紙がずれ重なり長さ全体にわたって保持される。この場合、負圧（−Δｐ２）はちょうど、シートスローダウンの加速力および減速力が枚葉紙へ伝達され得るような大きさに形成されていなければならないか、もしくはこのような大きさに形成されているだけでよい。これよりも高い負圧は、搬送テープ１４とフィーダボード３２との間の摩擦を高めてしまい、これにより搬送テープ１４のための付与されなければならない駆動出力および搬送テープ１４の摩耗が増大してしまうので望ましくない。
【００３５】
前当て４２への到着直前に、枚葉紙は搬送テープ１４の対応する端範囲によって減速されなければならない（最小速度での枚葉紙到着）。搬送テープ１４は前当て４２にまで到達することができず、かつ搬送テープ１４の、搬送方向１８とは反対の方向で隣接した（手前側の）部分は後続の枚葉紙によって占有されるので、枚葉紙を減速させるための範囲は、ずれ重なり長さよりも著しく短い。この事情を考慮するためには、第３の吸込み室４９が働く。この第３の吸込み室４９内では、手前側の第２の吸込み室４８内の負圧よりも大きな負圧（−Δｐ３）が生ぜしめられる。しかし、枚葉紙到着後に、この高い負圧−Δｐ３が形成されていると、当て付けられた枚葉紙の潰れが生ぜしめられる恐れがある。したがって、枚葉紙到着時に第３の吸込み室４９内の負圧は、望ましくない圧潰効果が発生し得なくなる程度にまで減じられる（−Δｐ４にまで）。しかし、それにもかかわらず、枚葉紙の跳ね返りを阻止するためには小さな負圧（−Δｐ４）が残っていてよく、かつこのような負圧が残っていることが望ましい。したがって、圧力レベル−Δｐ４はオペレータにより適宜に調節される。第３の吸込み室４９が後続枚葉紙によって占有されると、第３の吸込み室４９内の負圧を再び初期レベル（−Δｐ３）にまで高めることができる。
【００３６】
枚葉紙を３つの吸込み室４７，４８，４９で保持しなければならない有効面積は、固定の相互割合を成しており、このことは、必要となる所要の負圧（−Δｐ１〜−Δｐ３）にも云える。バイパス弁５５，５６，６１を介して、３つの吸込み室４７，４８，４９の種々の圧力レベルが調節可能であることにより、３つの吸込み室４７，４８，４９の全てを、１つの共通の負圧形成器５２によって１つの共通の負圧形成室５０を介して負荷することが可能となる。したがって、３つの吸込み室４７，４８，４９内に形成される負圧の相対比は、共通の負圧レベル（共通の負圧形成器５２もしくは共通の負圧形成室５０内の負圧レベル）が変化した場合でも不変のままとなる。
【００３７】
既に説明した切換弁５９は、枚葉紙の搬送タイミングで、第３の吸込み室４９で行われる枚葉紙減速に合わせて予め調節された、この第３の吸込み室４９内の負圧レベルを（マニュアル式に設定可能な）小さな負圧レベルへ低下させ、これにより前当て４２における申し分のない枚葉紙当付け（引き続き圧潰が生じることのない当付け）を保証するという機能を有している。すなわち、この構成の特別な点は、枚葉紙搬送自体を所定のタイミングで行うだけでなく、これに対して同期的に第３の吸込み室４９内の負圧（−Δｐ３もしくは−Δｐ４）をもタイミング制御することにある。
【００３８】
図４に示した変化実施例は、主として次の点でのみ図３に示した実施例とは異なっている。すなわち、図４に示した実施例では、タイミング制御される送り出しローラ４３が直接に変向ローラ３６と協働するのではなく、（付加的な）引込みローラ６３と協働する。この引込みローラ６３は、枚葉紙パイル３４から個々の枚葉紙を取り出して、フィーダボード３２に供給するという役目を有している。この構成の特別な点は、送り出しローラ４３および引込みローラ６３から成るローラ対と、搬送テープ１４もしくは本来のフィーダボード３２との間に、符号６４で示したフィーダボード範囲が延びていることにある。このフィーダボード範囲６４は搬送テープを有していない。これによりローラ対４３／６３と本来のフィーダボード３２の搬送テープ１４との間に生ぜしめられた間隔は、送り出しローラ４３およびフィーダボード範囲６４と協働する引込みローラ６３のフィード出力により橋絡される。
【００３９】
図５に示した実施例では、全ての吸込み室４７，４８，４９にそれぞれ専用の負圧形成器６５，２６，６６が対応している。この場合、第２の吸込み室４８には、そのまま負圧形成器２６が対応している。第１の吸込み室４７には負圧形成器６５が対応している。第３の吸込み室４９には負圧形成器６６が対応している。この場合、第３の吸込み室４９と負圧形成器６６との間には、枚葉紙を処理する機械のタイミングで駆動可能である回転弁６７が接続されている。この回転弁６７は、枚葉紙を処理する機械の機械角度に関連して第３の吸込み室４９に、３種の異なるレベルの負圧を形成する。これらの負圧は、有利には互いに異なる長さの４つのフェーズの間、第３の吸込み室４９に生ぜしめられる。この場合、有利な実施例では、前グリッパ（図示しない）により最上位の枚葉紙が把持された後に、形成される圧力レベルが−Δｐ５となり、そして後続の枚葉紙１５が前当て４２に到達するまで、約１８０゜の機械角度の間、このレベルに保持される。その後に、中間圧力レベル−Δｐ６が第３の吸込み室４９内に調節される。この中間圧力レベル−Δｐ６は、枚葉紙１５を前当て４２に保持するために、約５０゜の機械角度にわたって有効となる。その後に、小さな圧力レベル−Δｐ７が第３の吸込み室４９内に調節される。これにより、サクションテープの保持力により過度に強力に妨げられることなしに枚葉紙１５は張力軽減される。この圧力レベル−Δｐ７は約６０゜の機械角度にわたって維持される。次いで約７０゜の機械角度にわたって、つまりサイクル終了まで、やはり中間圧力レベル−Δｐ６が調節される。この場合、後続の枚葉紙１６が第３の吸込み室４９を覆っている。７０゜の機械角度の後に、上側の枚葉紙１５は前グリッパにより把持される。この場合、吸引空気は上側の枚葉紙１５に対して不都合な影響を与えないので、後続の枚葉紙１６を前当て４２へ確実に搬送するために、高い圧力レベル−Δｐ５を調節することができる。
【図面の簡単な説明】
【図１】枚葉紙処理機械のためのフィーダボードの１実施例を示す鉛直方向の縦断面図である。
【図２】搬送のために利用され得る有効室長さもしくは一定の負圧の場合に、図１に示した個々の連続的な吸込み室範囲の配置形式において可能となる保持力、加速度（絶対）と有効室長さとの間の比および枚葉紙加速（もしくは枚葉紙減速）を、それぞれフィーダボード上での枚葉紙搬送路との関係で描いた線図である。
【図３】図１に示した実施例に対する変化実施例によるフィーダボードを示す概略図である。
【図４】図３の実施例に対する変化実施例を示す概略である。
【図５】３つの負圧形成器を備えたさらに別の実施例を示す概略図である。
【符号の説明】
１０  フィーダボード、  １１  走行薄板、  １２  中間ウェブ、  １３  中間壁、  １４  搬送テープ、  １５，１６  枚葉紙、  １７  吸込み孔、  １９，２０，２１，２２，２３  吸込み室範囲、  ２４  開口、  ２５  負圧形成室、  ２６  負圧形成器、  ２７  閉鎖壁、  ２８  絞り孔、  ３２  フィーダボード、  ３４  枚葉紙パイル、  ３５  枚葉紙、  ３６，３７  変向ローラ、  ３８，３９  テンションローラ、  ４２  前当て、  ４３  送り出しローラ、  ４４  吸込みボックス、  ４５，４６  中間壁、  ４７，４８，４９  吸込み室、  ５０  負圧形成室、  ５１  負圧管路、  ５２  負圧形成器、  ５３，５４負圧管路、  ５５，５６  バイパス弁、  ５７，５８  負圧管路、  ５９  切換弁、  ６０  負圧管路、  ６１，６２  バイパス弁、  ６３  引込みローラ、６４  フィーダボード範囲、  ６５，６６  負圧形成器、  ６７  回転弁
【図１】
0004406524.tif 000002
【図２】
0004406524.tif 000003
【図３】
0004406524.tif 000004
【図４】
0004406524.tif 000005
【図５】
0004406524.tif 000006